(57)【要約】【課題】光電変換部から処理回路に送られる電圧信号の情報量が多くなると、情報を処理する処理回路の負担が大きくなる。例えば、一つの光電変換部の情報を受け取る場合よりも三つの光電変換部の情報をそれぞれ受け取る場合の方が、間引きおよび加算等の処理をする処理回路の負担は大きい。そこで、処理回路の負担を減らすことが求められる。【解決手段】光電変換された電荷を蓄積する複数の光電変換部が各々設けられた複数の光電変換ユニットと、複数の光電変換ユニットのうち少なくとも２以上の光電変換ユニットの各々において１以上の光電変換部を選択する制御部と、選択された１以上の光電変換部で蓄積された電荷を、少なくとも２以上の光電変換ユニット間で加算する電荷加算部とを備える撮像素子を提供する。【選択図】図４
2018160933.tif 000002
【特許請求の範囲】
【請求項１】
光を電荷に変換する複数の第１光電変換部と、前記第１光電変換部毎に１つずつ配置され、前記第１光電変換部の電荷を転送するための複数の第１転送ゲートと、光を電荷に変換する複数の第２光電変換部と、前記第２光電変換部毎に１つずつ配置され、前記第２光電変換部の電荷を転送するための複数の第２転送ゲートと、前記第１転送ゲートにより前記第１光電変換部から転送された電荷と、前記第２転送ゲートにより前記第２光電変換部から転送された電荷と、に基づいて信号を生成する生成部と、を有する撮像素子と、
複数の前記第１光電変換部のうち、前記第１転送ゲートにより電荷が転送される前記第１光電変換部の数と、複数の前記第２光電変換部のうち、前記第２転送ゲートにより電荷が転送される前記第２光電変換部の数と、が異なる数となるように前記第１転送ゲートと前記第２転送ゲートとを駆動する駆動回路と、
を備える撮像装置。
【請求項２】
前記撮像素子は、前記第１転送ゲートにより前記第１光電変換部から電荷が転送される第１電荷電圧変換部と、前記第２転送ゲートにより前記第２光電変換部から電荷が転送される第２電荷電圧変換部と、を有し、
前記生成部は、前記第１電荷電圧変換部及び前記第２電荷電圧変換部の電荷に基づいて前記信号を生成する請求項１に記載の撮像装置。
【請求項３】
前記撮像素子は、前記第１電荷電圧変換部に接続されるゲートを有する第１トランジスタと、前記第２電荷電圧変換部に接続されるゲートを有する第２トランジスタと、を有し、
前記生成部は、前記第１トランジスタ及び前記第２トランジスタから出力された電気信号に基づいて前記信号を生成する請求項２に記載の撮像装置。
【請求項４】
前記撮像素子は、前記信号をデジタル信号に変換するための変換部を有する請求項１から請求項３のいずれか一項に記載の撮像装置。
【請求項５】
前記撮像素子は、光が入射される第１領域と、光が入射される前記第１領域とは異なる第２領域と、を有し、
複数の前記第１光電変換部は、前記第１領域において配置され、
複数の前記第２光電変換部は、前記第２領域において配置される請求項１から請求項４のいずれか一項に記載の撮像装置。
【請求項６】
前記撮像素子は、光を電荷に変換する複数の第３光電変換部と、前記第３光電変換部毎に１つずつ配置され、前記第３光電変換部の電荷を転送するための第３転送ゲートと、を有し、
前記生成部は、前記第１転送ゲートにより前記第１光電変換部から転送された電荷と、前記第２転送ゲートにより前記第２光電変換部から転送された電荷と、前記第３転送ゲートにより前記第３光電変換部から転送された電荷と、に基づいて前記信号を生成し、
前記駆動回路は、複数の前記第２光電変換部のうち、前記第２転送ゲートにより電荷が転送される前記第２光電変換部の数と、複数の前記第３光電変換部のうち、前記第３転送ゲートにより電荷が転送される前記第３光電変換部の数と、が異なる数となるように前記第２転送ゲートと前記第３転送ゲートとを駆動する請求項１に記載の撮像装置。
【請求項７】
前記撮像素子は、前記第１転送ゲートにより前記第１光電変換部から電荷が転送される第１電荷電圧変換部と、前記第２転送ゲートにより前記第２光電変換部から電荷が転送される第２電荷電圧変換部と、前記第３転送ゲートにより前記第３光電変換部から電荷が転送される第３電荷電圧変換部と、を有し、
前記生成部は、前記第１電荷電圧変換部、前記第２電荷電圧変換部及び前記第３電荷電圧変換部の電荷に基づいて前記信号を生成する請求項６に記載の撮像装置。
【請求項８】
前記撮像素子は、前記第１電荷電圧変換部に接続されるゲートを有する第１トランジスタと、前記第２電荷電圧変換部に接続されるゲートを有する第２トランジスタと、前記第３電荷電圧変換部に接続されるゲートを有する第３トランジスタと、を有し、
前記生成部は、前記第１トランジスタ、前記第２トランジスタ及び前記第３トランジスタから出力された電気信号に基づいて前記信号を生成する請求項７に記載の撮像装置。
【請求項９】
前記撮像素子は、前記信号をデジタル信号に変換するための変換部を有する請求項６から請求項８のいずれか一項に記載の撮像装置。
【請求項１０】
前記撮像素子は、光が入射される第１領域と、光が入射される前記第１領域とは異なる第２領域と、光が入射される前記第１領域及び前記第２領域とは異なる第３領域と、を有し、
複数の前記第１光電変換部は、前記第１領域において配置され、
複数の前記第２光電変換部は、前記第２領域において配置され、
複数の前記第３光電変換部は、前記第３領域において配置される請求項６から請求項９のいずれか一項に記載の撮像装置。
【請求項１１】
光を電荷に変換する複数の第１光電変換部と、
前記第１光電変換部毎に１つずつ配置され、前記第１光電変換部の電荷を転送するための複数の第１転送ゲートと、
光を電荷に変換する複数の第２光電変換部と、
前記第２光電変換部毎に１つずつ配置され、前記第２光電変換部の電荷を転送するための複数の第２転送ゲートと、
前記第１転送ゲートにより前記第１光電変換部から転送された電荷と、前記第２転送ゲートにより前記第２光電変換部から転送された電荷と、に基づいて信号を生成する生成部と、を備え、
複数の前記第１光電変換部のうち、前記第１転送ゲートにより電荷が転送される前記第１光電変換部の数と、複数の第２光電変換部のうち、前記第２転送ゲートにより電荷が転送される前記第２光電変換部の数と、は異なる撮像素子。
【請求項１２】
前記第１転送ゲートにより前記第１光電変換部から電荷が転送される第１電荷電圧変換部と、
前記第２転送ゲートにより前記第２光電変換部から電荷が転送される第２電荷電圧変換部と、を備え、
前記生成部は、前記第１電荷電圧変換部及び前記第２電荷電圧変換部の電荷に基づいて前記信号を生成する請求項１１に記載の撮像素子。
【請求項１３】
前記第１電荷電圧変換部に接続されるゲートを有する第１トランジスタと、
前記第２電荷電圧変換部に接続されるゲートを有する第２トランジスタと、を備え、
前記生成部は、前記第１トランジスタ及び前記第２トランジスタから出力された電気信号に基づいて前記信号を生成する請求項１２に記載の撮像素子。
【請求項１４】
前記信号をデジタル信号に変換するための変換部を備える請求項１１から請求項１３のいずれか一項に記載の撮像素子。
【請求項１５】
複数の前記第１光電変換部は、光が入射される第１領域において配置され、
複数の前記第２光電変換部は、光が入射される前記第１領域とは異なる第２領域において配置される請求項１１から請求項１４のいずれか一項に記載の撮像素子。
【請求項１６】
光を電荷に変換する複数の第３光電変換部と、
前記第３光電変換部毎に１つずつ配置され、前記第３光電変換部の電荷を転送するための第３転送ゲートと、を備え、
前記生成部は、前記第１転送ゲートにより前記第１光電変換部から転送された電荷と、前記第２転送ゲートにより前記第２光電変換部から転送された電荷と、前記第３転送ゲートにより前記第３光電変換部から転送された電荷と、に基づいて前記信号を生成する請求項１１に記載の撮像素子。
【請求項１７】
前記第１転送ゲートにより前記第１光電変換部から電荷が転送される第１電荷電圧変換部と、
前記第２転送ゲートにより前記第２光電変換部から電荷が転送される第２電荷電圧変換部と、
前記第３転送ゲートにより前記第３光電変換部から電荷が転送される第３電荷電圧変換部と、を備え、
前記生成部は、前記第１電荷電圧変換部、前記第２電荷電圧変換部及び前記第３電荷電圧変換部の電荷に基づいて前記信号を生成する請求項１６に記載の撮像素子。
【請求項１８】
前記第１電荷電圧変換部に接続されるゲートを有する第１トランジスタと、
前記第２電荷電圧変換部に接続されるゲートを有する第２トランジスタと、
前記第３電荷電圧変換部に接続されるゲートを有する第３トランジスタと、を備え、
前記生成部は、前記第１トランジスタ、前記第２トランジスタ及び前記第３トランジスタから出力された電気信号に基づいて前記信号を生成する請求項１７に記載の撮像素子。
【請求項１９】
前記信号をデジタル信号に変換するための変換部を有する請求項１６から請求項１８のいずれか一項に記載の撮像素子。
【請求項２０】
複数の前記第１光電変換部は、光が入射される第１領域において配置され、
複数の前記第２光電変換部は、光が入射される前記第１領域とは異なる第２領域において配置され、
複数の前記第３光電変換部は、光が入射される前記第１領域及び前記第２領域とは異なる第３領域に配置される請求項１６から請求項１９のいずれか一項に記載の撮像素子。
【請求項２１】
請求項１６から請求項２０のいずれか一項に記載の撮像素子を備える撮像装置。
【発明の詳細な説明】
【技術分野】
【０００１】
本発明は、撮像素子および撮像装置に関する。
【０００２】
撮像素子の光電変換部において光電変換された電荷は、電圧信号に変換されて、信号線に出力される。当該電圧信号は、光電変換部が設けられていない領域にある処理回路に送られる。従来、当該処理回路において、間引きおよび加算等の処理が施されていた（例えば、特許文献１参照）。
［先行技術文献］
［特許文献］
［特許文献１］  特開２０１２−１９４９１号公報
【発明の概要】
【発明が解決しようとする課題】
【０００３】
光電変換部から処理回路に送られる電圧信号の情報量が多くなると、情報を処理する処理回路の負担が大きくなる。例えば、一つの光電変換部の情報を受け取る場合よりも三つの光電変換部の情報をそれぞれ受け取る場合の方が、間引きおよび加算等の処理をする処理回路の負担は大きい。そこで、処理回路の処理負担を軽減することが求められる。
【課題を解決するための手段】
【０００４】
本発明の第１の態様においては、光を電荷に変換する複数の第１光電変換部と、第１光電変換部毎に１つずつ配置され、第１光電変換部の電荷を転送するための複数の第１転送ゲートと、光を電荷に変換する複数の第２光電変換部と、第２光電変換部毎に１つずつ配置され、第２光電変換部の電荷を転送するための複数の第２転送ゲートと、第１転送ゲートにより第１光電変換部から転送された電荷と、第２転送ゲートにより第２光電変換部から転送された電荷と、に基づいて信号を生成する生成部と、を有する撮像素子と、複数の第１光電変換部のうち、第１転送ゲートにより電荷が転送される第１光電変換部の数と、複数の第２光電変換部のうち、第２転送ゲートにより電荷が転送される第２光電変換部の数と、が異なる数となるように第１転送ゲートと第２転送ゲートとを駆動する駆動回路と、を備える撮像装置を提供する。
【０００５】
本発明の第２の態様においては、光を電荷に変換する複数の第１光電変換部と、第１光電変換部毎に１つずつ配置され、第１光電変換部の電荷を転送するための複数の第１転送ゲートと、光を電荷に変換する複数の第２光電変換部と、第２光電変換部毎に１つずつ配置され、第２光電変換部の電荷を転送するための複数の第２転送ゲートと、第１転送ゲートにより第１光電変換部から転送された電荷と、第２転送ゲートにより第２光電変換部から転送された電荷と、に基づいて信号を生成する生成部と、を備え、複数の第１光電変換部のうち、第１転送ゲートにより電荷が転送される第１光電変換部の数と、複数の第２光電変換部のうち、第２転送ゲートにより電荷が転送される第２光電変換部の数と、は異なる撮像素子を提供する。
【０００６】
本発明の第３の態様においては、第２の態様に係る撮像素子を有する撮像装置を提供する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】一眼レフカメラ４００の断面図である。
【図２】第１の実施形態における撮像素子１０の回路構成を示す模式図である。
【図３】撮像素子１０における回路構成を部分的に拡大した図である。
【図４】撮像素子１０におけるカラーフィルタの配置を示す図である。
【図５】撮像素子１０の領域３７において重み付けモードの例を示す図である。
【図６】撮像素子１０の領域３８において重み付けモードの例を説明するタイミングチャート図である。
【図７】撮像素子１０の領域３７においてダイナミックレンジモードの例を説明する図である。
【図８】第２の実施形態における撮像素子４０の回路構成を示す模式図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、一眼レフカメラ４００の断面図である。撮像装置としての一眼レフカメラ４００は、撮像素子部２００を有する。一眼レフカメラ４００は、レンズユニット５００およびカメラボディ６００を備える。カメラボディ６００には、レンズユニット５００が装着される。レンズユニット５００は、その鏡筒内に、光軸４１０に沿って配列された光学系を備え、入射する被写体光束をカメラボディ６００の撮像素子部２００へ導く。
【００１１】
カメラボディ６００は、レンズマウント５５０に結合されるボディマウント６６０の後方にメインミラー６７２およびサブミラー６７４を備える。メインミラー６７２は、レンズユニット５００から入射した被写体光束に斜設される斜設位置と、被写体光束から退避する退避位置との間で回動可能に軸支される。サブミラー６７４は、メインミラー６７２に対して回動可能に軸支される。
【００１２】
メインミラー６７２が斜設位置にある場合、レンズユニット５００を通じて入射した被写体光束の多くはメインミラー６７２に反射されてピント板６５２に導かれる。ピント板６５２は、撮像チップの受光面と共役な位置に配されて、レンズユニット５００の光学系が形成した被写体像を可視化する。ピント板６５２に形成された被写体像は、ペンタプリズム６５４およびファインダ光学系６５６を通じてファインダ６５０から観察される。斜設位置にあるメインミラー６７２に入射した被写体光束の一部は、メインミラー６７２のハーフミラー領域を透過しサブミラー６７４に入射する。サブミラー６７４は、ハーフミラー領域から入射した光束の一部を、合焦光学系６８０に向かって反射する。合焦光学系６８０は、入射光束の一部を焦点検出センサ６８２に導く。
【００１３】
ピント板６５２、ペンタプリズム６５４、メインミラー６７２、サブミラー６７４は、構造体としてのミラーボックス６７０に支持される。撮像素子部２００は、ミラーボックス６７０に取り付けられる。メインミラー６７２およびサブミラー６７４が退避位置に退避し、シャッタユニット３４０の先幕および後幕が開状態となれば、レンズユニット５００を透過する被写体光束は、撮像チップの受光面に到達する。
【００１４】
撮像素子部２００の後方には、ボディ基板６２０および背面表示部６３４が順次配置される。液晶パネル等が採用される背面表示部６３４は、カメラボディ６００の背面に現れる。ボディ基板６２０には、ＣＰＵ６２２、画像処理ＡＳＩＣ６２４等の電子回路が実装される。撮像チップの出力は、上述のガラス基板に電気的に接続された可撓性基板を介して画像処理ＡＳＩＣ６２４へ引き渡される。
【００１５】
上述の実施形態においては、撮像装置として一眼レフカメラ４００を例に説明したが、カメラボディ６００を撮像装置と捉えても良い。また、撮像装置は、ミラーユニットを備えるレンズ交換式カメラに限らず、ミラーユニットを持たないレンズ交換式カメラ、ミラーユニットの有無に関わらずレンズ一体式カメラであっても良い。
【００１６】
図２は、第１の実施形態における撮像素子１０の回路構成を示す模式図である。撮像素子１０は、第１の光電変換ユニット２６、第２の光電変換ユニット２７、第３の光電変換ユニット２９、第４の光電変換ユニット２８、信号線２５、相関二重サンプリング回路（以下、ＣＤＳ（Ｃｏｒｒｅｌａｔｅｄ  Ｄｏｕｂｌｅ  Ｓａｍｐｌｉｎｇ）回路３２と略記する）およびＡＤ変換回路３４を複数備える。また、撮像素子１０は、駆動回路３０および制御部３５を備える。
【００１７】
第１の光電変換ユニット２６、第２の光電変換ユニット２７、第３の光電変換ユニット２９および第４の光電変換ユニット２８の各々は、特に、光電変換された電荷を蓄積する複数の光電変換部を有する。本例では、第１の光電変換ユニット２６、第２の光電変換ユニット２７、第３の光電変換ユニット２９および第４の光電変換ユニット２８は、第１の方向に沿って設けられた２つの光電変換部を各々有する。
【００１８】
なお、本明細書において第１の方向とは、いわゆる列方向または垂直方向であってよい。また、当該第１の方向に垂直な第２方向は、いわゆる行方向または水平方向であってよい。
【００１９】
少なくとも２以上の光電変換ユニットに設けられた光電変換部１２に対応して、同一の分光特性を有するフィルタが設けられる。本例では、第１の光電変換ユニット２６、第２の光電変換ユニット２７、第３の光電変換ユニット２９および第４の光電変換ユニット２８の各々には、同一の分光特性を有するフィルタが設けられる。
【００２０】
複数の第１の光電変換ユニット２６には、第１の分光特性を有する第１フィルタが対応して各々設けられる。本例では、第１フィルタは赤色のカラーフィルタであってよい。また、第１の分光特性は、６２０ｎｍから７５０ｎｍまでの波長帯域の電磁波だけを透過する特性であってよい。
【００２１】
複数の第２の光電変換ユニット２７および複数の第４の光電変換ユニット２８には、第２の分光特性を有する第２フィルタが対応して各々設けられる。本例では、第２フィルタは緑色のカラーフィルタであってよい。また、第２の分光特性は、４９５ｎｍから５７０ｎｍまでの波長帯域の電磁波だけを透過する特性であってよい。
【００２２】
複数の第３の光電変換ユニット２９には、第３の分光特性を有する第３フィルタが対応して各々設けられる。本例では、第３フィルタは青色のカラーフィルタであってよい。また、第３の分光特性は、４５０ｎｍから４９５ｎｍまでの波長帯域の電磁波だけを透過する特性であってよい。
【００２３】
第１の光電変換ユニット２６と第２の光電変換ユニット２７とは、第１の方向に沿って交互に配置される。したがって、第１の方向において最も近接する３つの第１の光電変換ユニット２６において、第２番目の第１の光電変換ユニット２６−２は、第１番目の第１のユニット２６−１と第３番目の第１のユニット２６−３との間に設けられる。つまり本例では、第１の方向に沿って、第１の光電変換ユニット２６−１、第２の光電変換ユニット２７−１、第１の光電変換ユニット２６−２、第２の光電変換ユニット２７−２、および、第１の光電変換ユニット２６−３の順に設けられる。
【００２４】
第４の光電変換ユニット２８−１は、第１の方向と垂直な第２の方向において、第１のユニット２６−１に隣接して設けられる。第４の光電変換ユニット２８−１と第３の光電変換ユニット２９−１とは、第１の方向に沿って交互に配置される。つまり本例では、第１の方向に沿って、第４の光電変換ユニット２８−１、第３の光電変換ユニット２９−１、第４の光電変換ユニット２８−２、第３の光電変換ユニット２９−２、および、第４の光電変換ユニット２８−３の順に設けられる。
【００２５】
なお、光電変換ユニットは、第１の方向において５個ずつ設けられるように描かれているが、第１の方向に沿って配置される光電変換ユニットの数は５つには限定されない。
【００２６】
図３は、撮像素子１０の回路構成を部分的に拡大した図である。本図は特に、第１の光電変換ユニット２６と第２の光電変換ユニット２７とが第１の方向に沿って交互に配置された部分の拡大図である。本例では、光電変換部１２において蓄積した電荷を重み付けして出力する重み付けモードについて説明する。
【００２７】
第１の光電変換ユニット２６および第２の光電変換ユニット２７の各々は、光電変換部１２、転送部１４、電荷排除部１６、増幅部１８、出力部２０、高電位部２１および電荷電圧変換部２３を有する。
【００２８】
光電変換部１２には、予め定められた分光特性を有するフィルタが近接して設けられる。光電変換部１２は、当該フィルタを介して入射した光の光量に応じて電荷を生成（光電変換）する。また、光電変換部１２は、光電変換された電荷を蓄積する。なお、蓄積される電荷は、例えば電子である。
【００２９】
転送部１４は、光電変換部１２と電荷電圧変換部２３との間に設けられる。本例では、転送部１４は、ゲート、ソースおよびドレインを有するトランジスタである。駆動回路３０から転送部１４のゲートに制御信号が与えられると、転送部１４は、光電変換部１２に蓄積された電荷を電荷電圧変換部２３に転送する。
【００３０】
転送部１４は、対応する光電変換部に電気的に接続される。本例では、２つの第１の転送部１４−１および１４−２は、第１番目の第１の光電変換ユニット２６−１にある２つの光電変換部１２−１および１２−２に各々電気的に接続される。また、２つの第２の転送部１４−５および１４−６は、第２番目の第１の光電変換ユニット２６−２にある２つの光電変換部１２−５および１２−６に各々電気的に接続される。さらに、２つの第３の転送部１４−９および１４−１０は、第３番目の第１の光電変換ユニット２６−３にある２つの光電変換部１２−９および１２−１０に各々電気的に接続される。
【００３１】
転送部１４は、光電変換部１２で蓄積された電荷を光電変換ユニットの電荷電圧変換部２３へ転送する。２つの第１の転送部１４−１および１４−２は、第１番目の第１の光電変換ユニット２６−１にある２つの光電変換部１２−１および１２−２で蓄積された電荷を各々第１電荷電圧変換部２３−１へ転送する。また、２つの第２の転送部１４−５および１４−６は、第２番目の第１の光電変換ユニット２６−２にある２つの光電変換部で蓄積された電荷を各々第２電荷電圧変換部２３−２へ転送する。さらに、２つの第３の転送部１４−９および１４−１０は、第３番目の第１の光電変換ユニットにある２つの光電変換部１２−９および１２−１０で蓄積された電荷を各々第３電荷電圧変換部２３−３へ転送する。
【００３２】
電荷排除部１６は、高電位部２１と電荷電圧変換部２３との間に設けられる。本例では、電荷排除部１６は、ゲート、ソースおよびドレインを有するトランジスタである。駆動回路３０から電荷排除部１６のゲートに制御信号が与えられると、電荷排除部１６は、電荷電圧変換部２３の電位を高電位部２１とほぼ同じ電位にする。本例では、電荷排除部１６は、電荷電圧変換部２３に蓄積された電子を排除する。
【００３３】
増幅部１８は、出力部２０と高電位部２１との間に設けられる。本例では、増幅部１８は、ゲート、ソースおよびドレインを有するトランジスタである。増幅部１８のゲートは、電荷電圧変換部２３に電気的に接続される。これにより、増幅部１８は、電荷電圧変換部２３の電圧を、増幅した電圧で電流を出力部２０に出力する。
【００３４】
出力部２０は、増幅部１８と信号線２５−１との間に設けられる。本例では、出力部２０は、ゲート、ソースおよびドレインを有するトランジスタである。駆動回路３０から出力部２０のゲートに制御信号が与えられると、出力部２０は、増幅部１８が増幅した電圧で電流を信号線２５−１に出力する。これにより、増幅された電荷電圧変換部２３の電圧に応じた信号が、信号線２５−１に信号として出力される。これにより、出力部２０は、光電変換部１２で蓄積された電荷に応じた信号を信号線２５−１へ出力する。
【００３５】
第１の出力部２０−１は、第１の光電変換ユニット２６−１にある２つの光電変換部１２−１および１２−２に蓄積された電荷に応じた信号を信号線２５−１へ出力する。また、第２の出力部２０−２は、第２の光電変換ユニット２７−１にある２つの光電変換部１２−３および１２−４に蓄積された電荷に応じた信号を信号線２５−１へ出力する。
【００３６】
高電位部２１は、電源電圧（ＶＤＤ）に電気的に接続される。高電位部２１は、電荷排除部１６および増幅部１８に高電位を供給する。当該高電位は、電荷排除部１６の電荷排除動作および増幅部１８の増幅動作を実行できれば任意の電位としてよい。なお、光電変換ユニット２６−１、２７−１、２６−２、２７−２および２６−３には、共通の電源電圧（ＶＤＤ）が電気的に接続される。
【００３７】
電荷電圧変換部２３には、転送部１４から転送された電荷が蓄積される。第１電荷電圧変換部２３−１には、２つの第１の転送部１４−１および１４−２が電気的に接続される。また、第２電荷電圧変換部２３−３には、２つの第２の転送部１４−５および１４−６が電気的に接続される。さらに、第３電荷電圧変換部２３−５には、２つの第３の転送部１４−９および１４−１０が電気的に接続される。
【００３８】
本例では、電荷電圧変換部２３は、いわゆる浮遊拡散（Ｆｌｏａｔｉｎｇ  Ｄｉｆｆｕｓｉｏｎ）領域である。電荷電圧変換部２３は、一端が転送部１４の出力に電気的に接続され、かつ、他の一端が接地されたコンデンサであってよい。転送部１４から転送された電荷は、電荷電圧変換部２３の当該他の一端に蓄積される。これにより、電荷電圧変換部２３において、蓄積された電荷が電位に変換される。なお、増幅部１８のゲートの電位は、電荷電圧変換部２３の当該一端の電位と等しくなる。
【００３９】
電荷加算部２２は、２以上の光電変換ユニットを電気的に接続する。電荷加算部２２−１は、駆動回路３０により選択された１以上の光電変換部１２において蓄積された電荷を、少なくとも２以上の第１の光電変換ユニット２６間で加算する。同様に電荷加算部２２−２は、駆動回路３０により選択された１以上の光電変換部１２において蓄積された電荷を、少なくとも２以上の第２の光電変換ユニット２７間で加算する。
【００４０】
電荷加算部２２−１は、第１電荷電圧変換部２３−１と、第２電荷電圧変換部２３−３と、第１電荷電圧変換部２３−１および第２電荷電圧変換部２３−３を接続する第１接続部と、第２電荷電圧変換部２３−３および第３電荷電圧変換部２３−５を接続する第２接続部とを有する。同様に、電荷加算部２２−２は、電荷電圧変換部２３−２と、電荷電圧変換部２３−４と、電荷電圧変換部２３−２よび電荷電圧変換部２３−４を接続する接続部等を有する。
【００４１】
なお、接続部とは、複数の電荷電圧変換部２３ならびに複数の電荷電圧変換部２３を接続する配線および切替部を含む概念である。本例では、第１接続部は、電荷電圧変換部２３−１および２３−３、電荷電圧変換部２３−１および２３−３を接続する配線、ならびに、第１切替部２４−１を含む。また、第２接続部は、荷電圧変換部２３−３および２３−５、電荷電圧変換部２３−３および２３−５を接続する配線、ならびに、第２切替部２４−３を含む。
【００４２】
第１切替部２４−１は、第１電荷電圧変換部２３−１および第２電荷電圧変換部２３−３が電気的に接続される接続状態と、第１電荷電圧変換部２３−１および第２電荷電圧変換部２３−３が電気的に切断される切断状態とを切り替える。同様に、第２切替部２４−３は、第２電荷電圧変換部２３−３および第３電荷電圧変換部２３−５が電気的に接続される接続状態と、第２電荷電圧変換部２３−３および第３電荷電圧変換部２３−５が電気的に切断される切断状態とを切り替える。
【００４３】
切替部２４がオン状態の場合、複数の光電変換ユニットの各々における電荷電圧変換部２３は電気的に接続されてほぼ同電位となる。一方、切替部２４がオフ状態の場合、複数の光電変換ユニットの各々における電荷電圧変換部２３は電気的に接続されない。
【００４４】
信号線２５には、第１の方向に沿って配置された複数の光電変換ユニットにおける各出力部２０から画素信号が出力される。出力された画素信号は、ＣＤＳ回路へ入力される。
【００４５】
ＣＤＳ回路３２は、一つの信号線２５に対応して一つ設けられる。ＣＤＳ回路３２は、あるタイミングにおいて、電荷排除部１６をオンすることにより電荷電圧変換部２３に一旦蓄積された電荷が排除された状態（リセット状態）の出力部２０の出力信号（ＳＲ）を記録する。次に、電荷排除部１６をオフ、かつ、転送部１４、増幅部１８および出力部２０をオンすることにより、リセット状態の後、ＣＤＳ回路３２は電荷電圧変換部２３に電荷が蓄積された状態（蓄積状態）における出力部２０の出力信号（ＳＳ）を記録する。
【００４６】
そして、ＣＤＳ回路３２は、ＳＲとＳＳとの差を計算する。当該ＳＲとＳＳとの差を画像の信号として用いることにより、複数の光電変換ユニット間での増幅部１８の閾値バラつきに起因する画像劣化を低減することができる。なお、以降の実施例の説明において、ＣＤＳ回路の動作について言及しないが、各実施例の撮像素子はＣＤＳ回路３２を利用して動作してよい。
【００４７】
ＡＤ変換回路３４は、ＣＤＳ回路３２ごとに一つ設けられる。ＡＤ変換回路３４は、ＣＤＳ回路３２が出力したアナログ信号（ＳＲとＳＳとの差）をデジタル信号に変換する。これにより、光電変換部１２への入射光量に応じたアナログ情報が、デジタル情報に変換される。最終的には、各光電変換部１２に対応するデジタル情報が、画像としてディスプレイに表示される。
【００４８】
制御部３５は、駆動回路３０を制御することにより、転送部１４、電荷排除部１６、出力部２０および切替部２４を動作させる。つまり、制御部３５は、転送部１４、電荷排除部１６、出力部２０および切替部２４におけるゲートへのパルスタイミングを制御することにより、転送部１４、電荷排除部１６、出力部２０および切替部２４を制御する。
【００４９】
制御部３５は、複数の光電変換ユニットのうち少なくとも２以上の光電変換ユニットの各々において１以上の光電変換部１２を選択する。同様に、制御部３５は、複数の光電変換ユニットのうち少なくとも２以上のユニットの各々において１以上の光電変換部１２を選択する。以下では、複数の光電変換ユニットにおける光電変換部１２を選択する場合について述べる。
【００５０】
制御部３５は、第１番目の第１の光電変換ユニット２６−１にある１つの光電変換部１２、第２番目の第１の光電変換ユニット２６−２にある２つの光電変換部１２、および、第３番目の第１の光電変換ユニット２６−３にある１つの光電変換部１２をそれぞれ選択して電荷を出力させる。光電変換部１２各々は、ほぼ同一の機能および性能を有する。したがって、第１電荷電圧変換部２３−１、第２電荷電圧変換部２３−３および、第３電荷電圧変換部２３−５には、１：２：１の比で電荷が出力される。
【００５１】
制御部３５は、第１切替部２４−１および第２切替部２４−３の切替動作を行うタイミングを制御する。制御部３５は、切替部２４−１および２４−３をオン状態にすることにより、選択された光電変換部１２から電荷加算部２２−１の電荷電圧変換部２３−１、２３−３および２３−５に出力された電荷を加算させる。
【００５２】
例えば、それぞれの光電変換部１２は予め定められた電荷蓄積期間に電荷（Ｑ）を蓄積するとする。ここで、第１電荷電圧変換部２３−１および第２電荷電圧変換部２３−３の容量はそれぞれ等しいＣであると仮定する。転送部１４−１、転送部１４−５および１４−６、ならびに１４−１０が同時にオンされることにより、第１電荷電圧変換部２３−１に電荷（Ｑ）、第２電荷電圧変換部２３−３に電荷（２Ｑ）、および、第２電荷電圧変換部２３−５に電荷（Ｑ）がそれぞれ転送される。なお、転送部１４および切替部２４におけるトランジスタのオン抵抗は無視できると仮定する。第１電荷電圧変換部２３−１、第２電荷電圧変換部２３−３、および第３電荷電圧変換部２３−５の電圧は、それぞれＶ（＝Ｑ／Ｃ）、２Ｖ（＝２Ｑ／Ｃ）、および、Ｖ（＝Ｑ／Ｃ）となる。
【００５３】
ここで、切替部２４−１および切替部２４−３がオンされることにより、電荷加算部２２において電荷（Ｑ）、電荷（２Ｑ）、および、電荷（Ｑ）が混合される。電荷加算部２２において電荷は合計４Ｑ存在する。第１電荷電圧変換部２３−１、第２電荷電圧変換部２３−３、および、第３電荷電圧変換部２３−５の合計容量は３Ｃであるので、第１電荷電圧変換部２３−１、第２電荷電圧変換部２３−３、および、第３電荷電圧変換部２３−５はそれぞれ４Ｖ／３（＝４Ｑ／３Ｃ）の電圧となる。そして、増幅部１８−３および出力部２０−３がオンされると、電荷電圧変換部２３−３の電圧に応じた電流が、信号線２５−１に信号として出力される。
【００５４】
ここで、制御部３５は、ＡＤ変換回路３４よりも後段に設けられる処理回路に、切替部２４−１および２４−３をオンにしたことを伝えてよい。これにより処理回路は、第１の光電変換ユニット２６−１、２６−２および２６−５において電荷混合がされたこと、および、電荷電圧変換部２３−３に蓄積された電荷についての信号が出力されたことがわかる。
【００５５】
したがって、信号線２５−１に信号を入力する段階において、第１の光電変換ユニット２６−２に蓄積された電荷を、第１の光電変換ユニット２６−１に蓄積された電荷および第１の光電変換ユニット２６−３に蓄積された電荷に対して重み付けることができる。隣接する３つの光電変換ユニットにおいて、電荷を読み込む光電変換部１２の数が１：２：１である本例では、第１の光電変換ユニット２６−１：第１の光電変換ユニット２６−２：第１の光電変換ユニット２６−３の重み付けの比が１：２：１となる。これにより、重み付け処理をするに当たり、後段回路の処理を簡単にすることができる。また、読み出すべき信号が少なくなるので、後段回路が高速に動作することができる。
【００５６】
制御部３５は、第１の方向および第２の方向において、複数の光電変換ユニットを同様に重み付け動作させてよい。また、制御部３５は、ＣＤＳ回路３２およびＡＤ変換回路３４等の動作を制御する。
【００５７】
（変形例：全画素読み出しモード）制御部３５は、全画素読み出しモードで撮像素子１０を制御してもよい。当該全画素読み出しモードでは、光電変換ユニット間での画素加算はしない点が、第１の実施形態と異なる。
【００５８】
全画素読み出しモードでは、１つの光電変換ユニット内の２つの光電変換部１２をそれぞれ独立に読み出す。例えば合制御部３５は、第１の光電変換ユニット２６−１にある２つの光電変換部１２−１および１２−２を各々異なるタイミングで選択する。そして制御部３５は、電荷電圧変換部２３−１に蓄積された電荷を各々独立に出力部２０−１へ出力させる。
【００５９】
また、制御部３５は、第２の光電変換ユニット２７−１にある２つの光電変換部１２−３および１２−４を、第１の光電変換ユニット２６−１を選択したタイミングとはさらに各々異なるタイミングで選択する。そして制御部３５は、電荷電圧変換部２３−２蓄積された電荷を各々独立に出力部へ出力させる。
【００６０】
なお、制御部３５は、重み付けモードと全画素読み出しモードとを組み合わせて、撮像素子１０を制御してもよい。重み付けモードと全画素読み出しモードとを組み合わせることによっても、後段処理回路の負担を軽減させることができる。
【００６１】
なお、制御部３５は、出力部２０から出力された各々のアナログ信号を、ＣＤＳ回路およびＡＤ変換回路で処理した後に、信号処理部３６において加算処理させてもよい。例えば制御部３５は、光電変換ユニットにおいて選択された１以上の光電変換部１２で蓄積された電荷を、電荷電圧変換部２３を介して出力部２０に出力させて、出力された各々の電荷に応じた各々のアナログ信号を出力部２０から信号線２５へ出力させる。そして、制御部３５は、各光電変換部１２の電荷蓄積量に対応するアナログ信号を、信号処理部３６に加算処理させてもよい。
【００６２】
図４は、撮像素子１０におけるカラーフィルタの配置を示す図である。各光電変換ユニットを太線で囲んで示す。
【００６３】
第１の光電変換ユニット２６−１には、２つの赤色（Ｒ）フィルタが設けられる。第２の光電変換ユニット２７−１には、２つの緑色（Ｇ）フィルタが設けられる。第３の光電変換ユニット２９−１には、２つの青色（Ｂ）フィルタが設けられる。第４の光電変換ユニット２８−１には、２つの緑色（Ｇ）フィルタが設けられる。第１の光電変換ユニット２６−１および第２の光電変換ユニット２７−１は、第１の方向において隣接する。第１の光電変換ユニット２６−１および第４の光電変換ユニット２８−１は、第２方向において隣接する。また、第２の光電変換ユニット２７−１および第３の光電変換ユニット２９−１は、第２方向において隣接する。
【００６４】
本例において、２つの赤色（Ｒ）フィルタ、２つの緑色（Ｇ）フィルタ、２つの緑色（Ｇ）フィルタ、および、２つの青色（Ｂ）フィルタを有するブロック３９（点線）は、撮像素子１０のフィルタが設けられる表面を詰められる単位ユニットである。なお、ブロック３９を第１の方向に並べた領域を領域３７と表記する。
【００６５】
図５は、撮像素子１０の領域３７において重み付けモードの例を示す図である。なお、光電変換部１２の位置については、図３も合わせて参照する。制御部３５は、第１番目の第１の光電変換ユニット２６−１において、第２番目の第１の光電変換ユニット２６−２側にある光電変換部１２−２を選択して電荷を出力させ、第３番目の第１の光電変換ユニット２６−３において、第２番目の第１の光電変換ユニット２６−２側にある光電変換部１２−９を選択して電荷を出力させる。そして、電荷加算部２２−１は、出力された電荷を加算する。当該制御方法により、各色の画素情報に対応する信号を１：２：１で重み付けることができる。
【００６６】
第１の光電変換ユニット２６−１において、第１の光電変換ユニット２６−２とは逆側の光電変換部１２−１を選択する場合には、第１の光電変換ユニット２６−２側の光電変換部１２−２は重み付けに寄与することができなくなる。つまり、光電変換部１２−２は無駄になる。これに対して、第１の光電変換ユニット２６−１において、第１の光電変換ユニット２６−２側の光電変換部１２−２を選択し、かつ、第１の光電変換ユニット２６−３において、第１の光電変換ユニット２６−２側の光電変換部１２−９を選択することにより、重み付けに寄与しない光電変換部１２を減らすことができる。
【００６７】
なお、第１の方向に等間隔で並ぶ第１の光電変換ユニット２６−１、２６−２および２６−３において、それぞれ第１の光電変換ユニット２６−２側の１つの赤色（Ｒ２）フィルタ、２つの赤色（Ｒ３およびＲ４）フィルタおよび第１の光電変換ユニット２６−２側の１つの赤色（Ｒ９）フィルタが設けられた領域を領域３８とする。
【００６８】
制御部３５は、青色（Ｂ）フィルタおよび緑色（Ｇ）フィルタについても同様に、上述の赤色（Ｒ）フィルタにおける領域３８の例と同様に、光電変換部１２を選択することにより、画素領域全体において、重み付けに寄与しない光電変換部１２を減らすことができる。
【００６９】
図６は、撮像素子１０の領域３８において重み付けモードの例を説明するタイミングチャート図である。なお、光電変換部１２、転送部１４、電荷排除部１６および出力部２０の位置については、図３も合わせて参照する。ここでは、特に赤色（Ｒ）フィルタＲ２、Ｒ５、Ｒ６、および、Ｒ９に対応して設けられた光電変換部１２−２、１２−５、１２−６および１２−９に蓄積された電荷が電荷加算される例を説明する。
【００７０】
制御部３５は、駆動回路３０を通じて転送部１４−２（ＴＸ＿Ｒ２）、転送部１４−５（ＴＸ＿Ｒ５）、転送部１４−６（ＴＸ＿Ｒ６）および転送部１４−９（ＴＸ＿Ｒ９）のゲートにパルス信号を与える。当該パルス信号により、各転送部１４はオンまたはオフする。
【００７１】
制御部３５は、駆動回路３０を通じて電荷排除部１６−１、１６−３および１６−５（ＲＳＴ  １，ＲＳＴ  ３，ＲＳＴ  ５）のゲートにパルス信号を与える。電荷排除部１６は、電荷電圧変換部２３に蓄積された電荷を排除する。
【００７２】
制御部３５は、駆動回路３０を通じて出力部２０のゲートにパルス信号を与える。当該パルス信号により、出力部２０はオンまたはオフする。本例では、オンされる出力部は、光電変換部１２−２、１２−５、１２−６および１２−９に対応して設けられたいずれかの出力部２０であればよい。例えば、出力部２０−３（ＳＥＬ  ３）のゲートがオンする。
【００７３】
制御部３５は、駆動回路３０を通じて切替部２４−１および２４−３のゲートにパルス信号を与える。当該パルス信号により、切替部２４―１および２４−３のゲートはオンまたはオフする。切替部２４―１および２４−３は、赤色（Ｒ）フィルタＲ２、Ｒ５、Ｒ６、および、Ｒ９に対応して設けられた光電変換部１２−２、１２−５、１２−６および１２−９に蓄積された電荷を電荷加算する。
【００７４】
光電変換部１２−２に電気的に接続された転送部１４−２（ＴＸ＿Ｒ２）は、タイミングｔ１でオンする。これにより転送部１４−２は、光電変換部１２−２に蓄積された電荷を電荷電圧変換部２３−１に排除する（電荷排除動作）。そして、当該電荷は、電荷電圧変換部２３−１に蓄積される。当該電荷排除動作のタイミングから、光電変換部１２−１における電荷蓄積期間が開始する。
【００７５】
電荷排除部１６−１（ＲＳＴ  １）は、タイミングｔ５でオンする。これにより電荷排除部１６−１は、電荷排除動作により電荷電圧変換部２３−１に排除された電荷を排除する。
【００７６】
転送部１４−２（ＴＸ＿Ｒ２）は、タイミングｔ８で再びオンする。これにより転送部１４−１は、光電変換部１２−１に蓄積された電荷を電荷電圧変換部２３−１に転送する（電荷転送動作）。タイミングｔ８までで、光電変換部１２−１における電荷蓄積期間が終了するする。つまり、転送部１４−２（ＴＸ＿Ｒ２）がオンするタイミング（タイミングｔ１）から転送部１４−１（ＴＸ＿Ｒ２）が次にオンするタイミング（タイミングｔ８）までの期間が、赤色（Ｒ）フィルタＲ２に対応して設けられた光電変換部１２−１の電荷蓄積期間となる。
【００７７】
同様に、光電変換部１２−５、１２−６および１２−９における電荷蓄積期間もまた、転送部１４がオンするタイミング（タイミングｔ１）から、転送部１４が次にオンするタイミング（タイミングｔ８）までの期間となる。本例では、光電変換部１２−２、１２−５、１２−６および１２−９における電荷蓄積期間は同一である。
【００７８】
タイミングｔ８においては、切替部２４−１（ＣＯＮ  １，２＿５，６）および切替部２４−３（ＣＯＮ  ５，６＿７，８）が同時にオンする。したがって、電荷電圧変換部２３−１および２３−３に蓄積された電荷は互いに加算される。よって、電荷電圧変換部２３−１および２３−３の電圧は等しくなる。
【００７９】
なお、タイミングｔ８においては、出力部２０−３（ＳＥＬ  ３）がオン状態である。したがって、混合された電荷に応じた信号が信号線２５−１へ出力される。これにより、赤色（Ｒ）フィルタＲ２、Ｒ５、Ｒ６、および、Ｒ９に対応して設けられた光電変換部１２−２、１２−５、１２−６および１２−９に蓄積された電荷を加算することができる。よって、Ｒ２、Ｒ５およびＲ６、ならびにＲ９を用いて、赤色（Ｒ）フィルタに対応する画素信号を１：２：１の比で重み付けすることができる。
【００８０】
図７、撮像素子１０の領域３７においてダイナミックレンジモードの例を説明する図である。光電変換部１２、転送部１４、増幅部１８および出力部２０の位置については、図３も合わせて参照する。
【００８１】
本例において、制御部３５は、第１の光電変換ユニット２６−１にある２つの光電変換部１２−１および１２−２を選択し、各々の光電変換部１２−１および１２−２に蓄積された電荷を加算する。なお、撮像素子１０において転送部１４−１および１４−２は、ともに電荷電圧変換部２３に電気的に接続されている。したがって、転送部１４−１および１４−２のトランジスタがオンすれば、光電変換部１２−１および１２−２に蓄積された電荷は、電荷電圧変換部２３−１へ出力されて、かつ、加算される。制御部３５は、増幅部１８−１のトランジスタをオンさせることにより、当該加算された電荷を第１の出力部２０−１に出力させる。
【００８２】
同様に、制御部３５は、第２の光電変換ユニット２７−１にある２つの光電変換部１２−３および１２−４を選択し、各々の光電変換部１２−３および１２−４に蓄積された電荷を加算する。制御部３５は、増幅部１８−２のトランジスタをオンさせることにより、当該加算された電荷を第２の出力部２０−２に出力させる第１の出力部２０−１および第２の出力部２０−２からそれぞれ出力される画素信号は、異なるタイミングで、ともに信号線２５−１へ出力される。
【００８３】
図８は、第２の実施形態における撮像素子４０の回路構成を示す模式図である。第２の実施形態の撮像素子４０において、電荷排除部１６、増幅部１８、出力部２０および電荷電圧変換部２３の各１つに対して、同一の分光特性を有するフィルタが設けられた光電変換部１２が４つずつ設けられる点が、第１の実施形態の撮像素子１０と異なる。加えて、当該４つの光電変換部１２は、第１の方向において、２つの光電変換部１２を有する２つの第１の光電変換ユニット２６の間に、２つの光電変換部１２を有する第２の光電変換ユニット２７を備える点が異なる。
【００８４】
本例では、第１の方向において順に、第１の光電変換ユニット２６−１、第２の光電変換ユニット２７−１、第１の光電変換ユニット２６−２、および、第２の光電変換ユニット２７−２が設けられている。第１の光電変換ユニット２６−１は、赤色（Ｒ）のフィルタが設けられた光電変換部１２−１および１２−２を有する。第２の光電変換ユニット２７−１は、緑色（Ｇ）のフィルタが設けられた光電変換部１２−３および１２−４を有する。第１の光電変換ユニット２６−２は、赤色（Ｒ）のフィルタが設けられた光電変換部１２−５および１２−６を有する。第２の光電変換ユニット２７−２は、緑色（Ｇ）のフィルタが設けられた光電変換部１２−７および１２−８を有する。
【００８５】
光電変換部１２−１、１２−２、１２−５および１２−６は、それぞれ転送部１４−１、１４−２、１４−５および１４−６に接続される。転送部１４−１、１４−２、１４−５および１４−６は、電荷電圧変換部２３−１に共通に接続される。電荷排除部１６−１、増幅部１８−１、出力部２０−１および高電位部２１の構成は、第１の実施形態における撮像素子１０と同様である。
【００８６】
光電変換部１２−３、１２−４、１２−７および１２−８は、それぞれ転送部１４−３、１４−４、１４−７および１４−８に接続される。転送部１４−３、１４−４、１４−７および１４−８は、電荷電圧変換部２３−２に共通に接続される。電荷排除部１６−２、増幅部１８−２、出力部２０−２および高電位部２１の構成は、第１の実施形態における撮像素子１０と同様である。
【００８７】
また、第１の方向において順に、第１の光電変換ユニット２６−３、第２の光電変換ユニット２７−３、第１の光電変換ユニット２６−４、および、第２の光電変換ユニット２７−４が設けられている。第１の光電変換ユニット２６−３は、赤色（Ｒ）のフィルタが設けられた光電変換部１２−９および１２−１０を有する。第２の光電変換ユニット２７−３は、緑色（Ｇ）のフィルタが設けられた光電変換部１２−１１および１２−１２を有する。第１の光電変換ユニット２６−４は、赤色（Ｒ）のフィルタが設けられた光電変換部１２−１３および１２−１４を有する。第２の光電変換ユニット２７−４は、緑色（Ｇ）のフィルタが設けられた光電変換部１２−１５および１２−１６を有する。
【００８８】
光電変換部１２−９、１２−１０、１２−１３および１２−１４は、それぞれ転送部１４−９、１４−１０、１４−１３および１４−１４に接続される。転送部１４−９、１４−１０、１４−１３および１４−１４は、電荷電圧変換部２３−３に共通に接続される。電荷排除部１６−３、増幅部１８−３、出力部２０−３および高電位部２１の構成は、第１の実施形態における撮像素子１０と同様である。
【００８９】
光電変換部１２−１１、１２−１２、１２−１５および１２−１６は、それぞれ転送部１４−１１、１４−１２、１４−１５および１４−１６に接続される。転送部１４−１１、１４−１２、１４−１５および１４−１６は、電荷電圧変換部２３−４に共通に接続される。電荷排除部１６−４、増幅部１８−４、出力部２０−４および高電位部２１の構成は、第１の実施形態における撮像素子１０と同様である。
【００９０】
電荷加算部２２は、同色のカラーフィルタが設けられた第１の光電変換ユニット２６同士または第２の光電変換ユニット２７同士を電気的に接続する。本例では、電荷加算部２２−１は、電荷電圧変換部２３−１、切替部２４−１および電荷電圧変換部２３−３を有する。切替部２４−１は、電荷電圧変換部２３−１および電荷電圧変換部２３−３の間に設けられる。電荷加算部２２−１は、電荷電圧変換部２３−１および２３−３に蓄積された電荷を、切替部２４−１を通じて加算する。これにより、光電変換部１２−１、１２−２、１２−５および１２−６、ならびに、光電変換部１２−９、１２−１０、１２−１３および１２−１４において蓄積された電荷が加算される。
【００９１】
電荷加算部２２−２は、電荷電圧変換部２３−２、切替部２４−２および電荷電圧変換部２３−４を有する。切替部２４−２は、電荷電圧変換部２３−２および電荷電圧変換部２３−４の間に設けられる。電荷加算部２２−２は、電荷電圧変換部２３−２および２３−４に蓄積された電荷を切替部２４−２を通じて加算する。これにより、光電変換部１２−３、１２−４、１２−７および１２−８、ならびに、光電変換部１２−１１、１２−１２、１２−１５および１２−１６において蓄積された電荷が加算される。
【００９２】
なお、電荷排除部１６、増幅部１８、出力部２０、電荷電圧変換部２３、高電位部２１、信号線２５、駆動回路３０、ＣＤＳ回路３２、ＡＤ変換回路３４および制御部３５の接続関係および機能は、第１の実施形態の撮像素子１０と同じである。
【００９３】
本例では、電荷排除部１６、増幅部１８、出力部２０および電荷電圧変換部２３の各１つに対して、４つの光電変換部１２を設けた。４つの光電変換部１２からの信号を出力するために７つのトランジスタ（光電変換部１２に４つのトランジスタ、電荷排除部１６、増幅部１８、出力部２０および電荷電圧変換部２３の各１つのトランジスタ）を用いた、いわゆる１．７５トランジスタの構成である。
【００９４】
なお、第１の実施形態は、２つの光電変換部１２からの信号を出力するために５つのトランジスタ（光電変換部１２に２つのトランジスタ、電荷排除部１６、増幅部１８、出力部２０および電荷電圧変換部２３の各１つのトランジスタ）を用いたので、いわゆる２．５トランジスタの構成である。本例のように、１．７５トランジスタの構成にすることにより、光電変換部１２一つあたりに必要なトランジスタの数を減らすことができる。また、これにより、消費電力を減らすことができる。
【００９５】
なお本例では、電荷排除部１６、増幅部１８、出力部２０および電荷電圧変換部２３の各１つずつに対して、同一の分光特性を有するフィルタが設けられる４つの光電変換部１２が配置された。しかし、同一の分光特性を有するフィルタが設けられる光電変換部１２の数は、４つに限定されない。例えば、４つではなく５つとしてもよい。
【００９６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００９７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順序で実施することが必須であることを意味するものではない。
【符号の説明】
【００９８】
１０  撮像素子、１２  光電変換部、１４  転送部、１６  電荷排除部、１８  増幅部、２０  出力部、２１  高電位部、２２  電荷加算部、２３  電荷電圧変換部、２４  切替部、２５  信号線、２６  第１の光電変換ユニット、２７  第２の光電変換ユニット、２８  第４の光電変換ユニット、２９  第３の光電変換ユニット、３０  駆動回路、３２  ＣＤＳ回路、３４  ＡＤ変換回路、３５  制御部、３６  信号処理部、３７  領域、３８  領域、３９  ブロック、４０  撮像素子、２００  撮像素子部、３４０  シャッタユニット、４１０  光軸、４００  一眼レフカメラ、５００  レンズユニット、５５０  レンズマウント、６００  カメラボディ、６２０  ボディ基板、６２２  ＣＰＵ、６２４  画像処理ＡＳＩＣ、６３４  背面表示部、６５０  ファインダ、６５２  ピント板、６５４  ペンタプリズム、６５６  ファインダ光学系、６６０  ボディマウント、６７０  ミラーボックス、６７２  メインミラー、６７４  サブミラー、６８０  合焦光学系、６８２  焦点検出センサ
【図１】
2018160933.tif 000003
【図２】
2018160933.tif 000004
【図３】
2018160933.tif 000005
【図４】
2018160933.tif 000006
【図５】
2018160933.tif 000007
【図６】
2018160933.tif 000008
【図７】
2018160933.tif 000009
【図８】
2018160933.tif 000010